(57)【要約】【課題】飛散防止体を支持する支持体を足場等の縦の支柱に対して０°より大きく９０°より小さい角度に固定可能な飛散防止体支持具を提供する。【解決手段】飛散防止体支持具１は、固定クランプ１７を介して足場等の縦の支柱に対して平行に取り付けられる縦支柱部１１と、縦支柱部１１に回動可能に取り付けられる支柱状取付部１２と、一端が支柱状取付部１２に回動可能に取り付けられる支持部１４と、縦支柱部１１に摺動可能に取り付けられ、支持部１４の他端が回動可能に取り付けられ、足場等の縦の支柱に取り付けられる位置決めクランプ１８を有する角度調節部１３と、を備える。【選択図】図１
0003215705.tif 000002
【実用新案登録請求の範囲】
【請求項１】
固定クランプを介して足場等の縦の支柱に対して平行に取り付けられる縦支柱部と、
前記縦支柱部に回動可能に取り付けられる支柱状取付部と、
一端が前記支柱状取付部に回動可能に取り付けられる支持部と、
前記縦支柱部に摺動可能に取り付けられ、前記支持部の他端が回動可能に取り付けられ、前記支柱に取り付けられる位置決めクランプを有する角度調節部と、
を備える飛散防止体支持具。
【請求項２】
前記支柱状取付部は、
管状をなし、先端に飛散防止体を取り付ける係止部を有する延長部を摺動可能に内部に有し、
前記延長部は、
ボルトによって前記支柱状取付部に固定される請求項１に記載の飛散防止体支持具。
【請求項３】
前記角度調節部は、
前記縦支柱部に外側から嵌め込まれるスリーブ部である請求項１又は請求項２に記載の飛散防止体支持具。
【請求項４】
前記角度調節部は、
前記支柱状取付部を、前記支柱に対して傾斜して固定する請求項１から請求項３までのいずれか１項に記載の飛散防止体支持具。
【考案の詳細な説明】
【技術分野】
【０００１】
本考案は、飛散防止体支持具に関する。
【背景技術】
【０００２】
建造物等の解体現場においては、粉砕された解体物が解体現場の外部に飛散しないようにすることが、安全の観点から必要である。
【０００３】
解体物の飛散を防止するためには、解体現場の仮囲いにネット等の飛散防止体を張ることが効果的である。
【０００４】
さらに、飛散防止体は、解体物の高さが高い場合には足場の上端部に略垂直に張られる必要がある一方、解体物の高さが低い場合には、解体物の方向に斜めに傾けて張ることがより効果的である。
【０００５】
この点に関し、飛散防止体を斜めに傾けて張るための固定ブラケットが提案されている（例えば、特許文献１。）。
【０００６】
しかし、この技術によっては、飛散防止体の角度が定まったものとなり、変更することができないものとなっていた。従って、解体物の高さが高い場合には飛散防止効果が限られたものとなっていた。
【０００７】
一方、飛散防止体を張る場合には足場の支柱に対して直角に支持体を倒し、足場を移動する場合には足場の支柱に対して平行に立てて収納する技術が提案されている（例えば、特許文献２。）。
【０００８】
しかし、この技術によっては、飛散防止体を支持する支持体は足場の支柱に対して９０°又は０°のいずれかの角度しかとらないということを前提に支持体が足場の支柱に取り付けられている。
【０００９】
具体的には、支持体は、足場の支柱に係止される連結具に設けられるスリットに、ボルト及びナットによってスライド可能に取り付けられる。従って、支持体の角度を足場の支柱に対して０°より大きく９０°より小さい角度に固定する場合には、このボルト及びナットを締め付けることとなる。
【００１０】
そうすると、支持体の長さが比較的短いものである場合には、この角度に固定できるが、長い場合には固定強度が足りず、飛散防止体が風などによって煽られると９０°に傾いてしまう。
【先行技術文献】
【特許文献】
【００１１】
【特許文献１】特許第５４０５１８８号公報
【特許文献２】特許第４０４２１０５号公報
【考案の概要】
【考案が解決しようとする課題】
【００１２】
本考案が解決しようとする課題は、飛散防止体を支持する支持体を足場等の縦の支柱に対して０°より大きく９０°より小さい角度に固定可能な飛散防止体支持具を提供することである。
【課題を解決するための手段】
【００１３】
本考案は、固定クランプを介して足場等の縦の支柱に対して平行に取り付けられる縦支柱部と、前記縦支柱部に回動可能に取り付けられる支柱状取付部と、一端が前記支柱状取付部に回動可能に取り付けられる支持部と、前記縦支柱部に摺動可能に取り付けられ、前記支持部の他端が回動可能に取り付けられ、前記支柱に取り付けられる位置決めクランプを有する角度調節部と、を備える飛散防止体支持具を提供する。
【考案の効果】
【００１４】
本考案によれば、飛散防止体を支持する支持体する支持体を足場の支柱に対して０°より大きく９０°より小さい角度に固定可能な飛散防止体支持具を提供することができる。
【図面の簡単な説明】
【００１５】
【図１】飛散防止体支持具の使用状態を示す側面図。
【図２】飛散防止体支持具の収納状態を示す図。
【図３】固定部を示す図。
【図４】角度調節部の平面図。
【図５】飛散防止体支持具を仮囲いに設置した場合の側面図。
【図６】飛散防止体支持具を足場に設置した場合の側面図。
【図７】飛散防止体支持具を足場に設置した場合の斜視図。
【考案を実施するための形態】
【００１６】
以下、本考案の一実施形態に係る飛散防止体支持具を、図面を参照しながら詳細に説明する。
【００１７】
図１は本実施形態の飛散防止体支持具１の使用状態を示す側面図、図２は飛散防止体支持具１の収納状態を示す図である。図１及び図２に示すように、飛散防止体支持具１は、縦支柱部１１と、支柱状取付部１２と、角度調節部１３と、支持部１４と、を備える。
【００１８】
縦支柱部１１は、足場の縦方向の支柱に対して平行に固定クランプ１７を介して取り付けられる。
【００１９】
支柱状取付部１２は、縦支柱部１１に回動可能に取り付けられる。支柱状取付部１２は、管状の部材によって形成され、内部に延長部１６を摺動可能に有する。
【００２０】
延長部１６は、先端に飛散防止体５１を取り付けるためのフックなどの係止部１６Ａを有する。延長部１６は、支柱状取付部１２から露出する長さを調節することにより長さ調節が行われる。支柱状取付部１２は、延長部１６の露出長を固定する固定部１６Ｂを備える。
【００２１】
支持部１４は、一端が支柱状取付部１２に係止具１５を介して回動可能に軽視される。係止具１５は、支柱状取付部１２の両端部の中間部分に、溶接等によって固定される。
【００２２】
図３は、固定部１６Ｂを示す図である。図３（Ａ）は固定部１６Ｂの側面図、図３（Ｂ）は固定部１６Ｂの正面図である。
【００２３】
図３に示すように、固定部１６Ｂは、ベース部３３と、押圧部３４と、ナット３２と、ボルト３１と、取付ボルト３５と、を備える。
【００２４】
ベース部３３は、中央部に貫通孔を有し、この貫通孔に対応する位置にナット３２が溶接等によって固定される。
【００２５】
ボルト３１の先端は、内側にネジ切りされた取付穴が設けられる。
【００２６】
押圧部３４は、貫通孔を中央部に有し、この貫通孔及び取付穴に取付ボルト３５を挿入してボルト３１の先端に締結される。
【００２７】
延長部１６の支柱状取付部１２内に被覆される部分は、係止部１６Ａが露出している側とは径方向逆側にへこむへこみを有する。
【００２８】
延長部１６の露出長を固定する場合は、ボルト３１を締め付けることにより、押圧部３４を延長部１６のへこみに押圧させて固定する。
【００２９】
図４は、角度調節部１３の平面図である。図４に示すように、角度調節部１３は、スリーブ部４４と、連結部４１と、固定ボルト４２と、支持ボルト４３と、位置決めクランプ１８と、を備える。
【００３０】
角度調節部１３は、縦支柱部１１の固定クランプ１７の下方に配置されることが、操作性の点から望ましい。
【００３１】
スリーブ部４４は、縦支柱部１１より短く、縦支柱部１１の外側に摺動可能に嵌め込まれる。
【００３２】
連結部４１は、一端がスリーブ部４４に溶接等によって固定され、他端に支持ボルト４３を介して支持部１４が回動可能に取り付けられる。連結部４１は２つの同形状の部材であり、固定ボルト４２によってスリーブ部４４に対して締め付けられる。
【００３３】
位置決めクランプ１８は、スリーブ部４４に溶接等によって固定される。
【００３４】
次に、飛散防止体支持具１の使用方法について説明する。
【００３５】
まず、足場等の縦の支柱に、固定クランプ１７を取り付け、固定する。
【００３６】
次に、支柱状取付部１２を所望の角度、例えば０°から１８０°範囲の角度、望ましくは１０９°に傾ける。こととき、スリーブ部４４は支柱状取付部１２の角度に応じて縦支柱部１１を摺動する。ここで、支柱状取付部１２の角度は、１０９°であることが、被解体から出る飛散体をより効率よく補足することができるという点において望ましい。従って、飛散防止体支持具１は支柱状取付部１２の角度を足場等の縦の支柱に対して１０９°を含む範囲の角度に傾斜させて変更可能であることが望ましい。
【００３７】
支柱状取付部１２の角度を所望の角度に維持しながら、位置決めクランプを足場等の縦の支柱に固定する。
【００３８】
最後に、係止部１６Ａに飛散防止体５１を掛けて取り付ける。飛散防止体５１は、例えば合成樹脂製のネット、又はシートを使用することができる。
【００３９】
支柱状取付部１２は、固定クランプ１７と位置決めクランプ１８とによって、角度が定まるため、風などによって煽られても角度が変化することはない。
【００４０】
図５は飛散防止体支持具１を仮囲い２に設置した場合の側面図、図６は飛散防止体支持具１を足場３に設置した場合の側面図、図７は飛散防止体支持具１を足場３に設置した場合の斜視図である。
【００４１】
図５から図７に示すように、飛散防止体支持具１は飛散防止体５１を、仮囲い２や足場３（以下、足場等という。）の縦の支柱に対して０°より大きく９０°より小さい任意の角度に固定することができる。
【００４２】
以上述べたように、本実施形態の飛散防止体支持具１は、固定クランプ１７を介して足場等の縦の支柱に対して平行に取り付けられる縦支柱部１１と、縦支柱部１１に回動可能に取り付けられる支柱状取付部１２と、一端が支柱状取付部１２に回動可能に取り付けられる支持部１４と、縦支柱部１１に摺動可能に取り付けられ、支持部１４の他端が回動可能に取り付けられ、足場等の縦の支柱に取り付けられる位置決めクランプ１８を有する角度調節部１３と、を備える。
【００４３】
従って、本考案によれば、飛散防止体５１を支持する支持体である支柱状取付部１２を足場等の縦の支柱に対して０°より大きく９０°より小さい角度に固定可能な飛散防止体支持具１を提供することができるという効果がある。
【符号の説明】
【００４４】
１  飛散防止体支持具
２  仮囲い
３  足場
１１  縦支柱部
１２  支柱状取付部
１３  角度調節部
１４  支持部
１５  係止具
１６  延長部
１６Ａ  係止部
１６Ｂ  固定部
１７  固定クランプ
１８  位置決めクランプ
３１  ボルト
３２  ナット
３３  ベース部
３４  押圧部
３５  取付ボルト
４１  連結部
４２  固定ボルト
４３  支持ボルト
４４  スリーブ部
５１  飛散防止体
【図１】
0003215705.tif 000003
【図２】
0003215705.tif 000004
【図３】
0003215705.tif 000005
【図４】
0003215705.tif 000006
【図５】
0003215705.tif 000007
【図６】
0003215705.tif 000008
【図７】
0003215705.tif 000009